(57)【要約】【課題】サーバラック内に設置した電子機器ユニットに接続されたケーブル類を整然と配設すること。電子機器類に接続したケーブルが接続端子から抜け落ちることを防止すること。【解決手段】複数のケーブル接続端子を有するサーバーその他の電子機器ユニット用の取付孔を左右に複数設けたサーバラックに使用されるケーブル保持具であって、前記電子機器ユニットのサーバラックへの取り付け状態で前記ケーブル接続端子の下側に設置されると共に横長の平板形状であり且つ複数の孔を有する透明または半透明のトレイと、前記取付孔に取り付けられ且つ前記トレイの両端を支持する支持手段と、を備えたことを特徴とするケーブル保持具を提供する。【選択図】図１９
2020088214.tif 000002
【特許請求の範囲】
【請求項１】
複数のケーブル接続端子を有するサーバーその他の電子機器ユニット用の取付孔を左右に複数設けたサーバラックに使用されるケーブル保持具であって、
前記電子機器ユニットのサーバラックへの取り付け状態で前記ケーブル接続端子の下側に設置されると共に横長の平板形状であり且つ複数の孔を有する透明または半透明のトレイと、
前記取付孔に取り付けられ且つ前記トレイの両端を支持する支持手段と、
を備えたことを特徴とするケーブル保持具。
【請求項２】
複数のケーブル接続端子を有するサーバーその他の電子機器ユニット用の取付孔を左右に複数設けたサーバラックに使用されるケーブル保持具であって、
前記電子機器ユニットのサーバラックへの取り付け状態で前記ケーブル接続端子の下側に設置されると共に横長の平板形状であり且つ複数の孔を有する透明または半透明のトレイと、
前記取付孔に固定可能な取り付け部を有し且つ前記取り付け部の下方からサーバラックの取付面に対して略垂直方向に延出して前記トレイを挟持するクリップと、
を備えたことを特徴とするケーブル保持具。
【請求項３】
複数のケーブル接続端子を有するサーバーその他の電子機器ユニット用の取付孔を左右に複数設けたサーバラックに使用されるケーブル保持具であって、
前記電子機器ユニットのサーバラックへの取り付け状態で前記ケーブル接続端子の下側に設置されると共に横長の平板形状であり、複数の孔を有する透明または半透明のトレイと、
前記取付孔に固定可能な取り付け部を有し且つ前記取り付け部の下方から前記サーバラックの取付面に対して略垂直に延出して前記トレイの側端を着脱可能に挟持するクリップと、
前記取付孔に固定可能な取り付け部を有し且つ前記サーバラックの取り付け部に対して略垂直方向に延出する少なくとも１本のケーブル保持バーを有するサイド部材と、
を備えたことを特徴とするケーブル保持具。
【請求項４】
前記クリップは、挟持面の少なくとも一面に滑り止め部が備えられていることを特徴とする請求項２または請求項３に記載のケーブル保持具。
【請求項５】
前記サイド部材の前記ケーブル保持バーは、先端に滑り止め部を備えたことを特徴とする請求項３または請求項４に記載のケーブル保持具。
【請求項６】
複数の電子機器ユニットを取り付けたサーバラック内におけるケーブル保持方法であって、
サーバラックへ取り付けた状態の前記電子機器ユニットの前記ケーブル接続端子の下側に前記請求項１から請求項５いずれか１つに記載のケーブル保持具の前記トレイを設置し、且つ、前記電気機器ユニットに接続するケーブルを前記トレイの上に載置する手順を含むケーブル保持方法。
【請求項７】
複数の電子機器ユニットを取り付けたサーバラック内におけるケーブル保持方法であって、
サーバラックへ取り付けた状態の前記電子機器ユニットの前記ケーブル接続端子の下側に前記請求項１から請求項５いずれか１つに記載のケーブル保持具の前記トレイを設置し、且つ、前記電気機器ユニットに接続するケーブルを、前記トレイの前記孔に貫通させた結束部材で結束して、前記トレイの下側に配設する手順を含むケーブル保持方法。
【発明の詳細な説明】
【技術分野】
【０００１】
本発明は、サーバラック内に設置した電子機器等のケーブル類を保持するためのケーブル保持具とケーブル保持方法に関する。
【背景技術】
【０００２】
データセンター等、多数の電子機器ユニットが設置されている施設内においては、多数の電子機器ユニットは、それぞれサーバラック内に格納され設置されている。電子機器ユニットには多数の接続端子が設けられており、ＬＡＮケーブルや光ファイバーケーブルその他ケーブル類が接続される。これら電子機器ユニットの増設工事や交換工事では、迅速かつ正確に、各種ケーブル類を接続する必要がある。上下に設置された電子機器ユニットのケーブルが、作業しようとする電子機器ユニットの前に垂れ下がっていると、作業効率が著しく低下する。その為、通信機器等をサーバラック内に設置する際は、接続するケーブル類が上下隣接する電子機器ユニットの前面に垂れ下がらないよう、整然と保持し、配設する必要がある。
【０００３】
従来より、サーバラック内に設置された電子機器等装置の背面のケーブル類を整然と保持するために、各種ケーブル保持部材が開発され使用されている。特許文献１のケーブル保持具は、サーバラックのマウントレールに着脱可能なトレイであって、電子機器ユニットのケーブル類を整然と保持して両サイドに流すものである。特許文献２のケーブル保持部材は、サーバラック内のケーブルを保持するものであって、ケーブル保持部材を保持一調整手段と共に設置すること前後移動可能とし、マウントアングルと扉間の距離が小さい場合でも設置可能とするものである。
【先行技術文献】
【特許文献】
【０００４】
【特許文献１】特開２０１１−３７４６号公報
【特許文献２】特開２０１６−２１３４０２号公報
【発明の概要】
【発明が解決しようとする課題】
【０００５】
データセンター等、多数の電子機器ユニットが設置されている施設内で、通信機器類の接続端子に多数のＬＡＮケーブルや光ファイバーケーブルその他ケーブル類を接続していく作業は、迅速に正確に行う必要があるが、通信機器類は、サーバラック内に、隙間なく格納されていることが多く、作業スペースが狭いことが多い。また、サーバラックの下方、照明の光が届かない場所に格納された電子機器ユニットのケーブル接続作業は、ケーブル保持具の影もあり、視界が悪く、作業効率が悪い。
【０００６】
そこで、本発明のケーブル保持具は、データセンター等、多数の電子機器ユニットが設置されている施設内において、サーバラック内の電子機器ユニットのケーブルを効率よく整然と配設することができ、上下隣接する電子機器ユニットのケーブル配設工事の妨げにならず、また、ケーブル配設工事の際、下方視界や上からの照明の光を遮らないケーブル保持具を提供する。
【課題を解決するための手段】
【０００７】
本発明のケーブル保持具は、複数のケーブル接続端子を有するサーバーその他の電子機器ユニット用の取付孔を左右に複数設けたサーバラックに使用されるケーブル保持具であって、前記電子機器ユニットのサーバラックへの取り付け状態で前記ケーブル接続端子の下側に設置されると共に横長の平板形状であり且つ複数の孔を有する透明または半透明のトレイと、前記取付孔に取り付けられ且つ前記トレイの両端を支持する支持手段と、を備えたことを特徴とするケーブル保持具。
【０００８】
この発明によれば、トレイが、横長の平板形状であり且つ複数の孔を有する透明または半透明であることで、ケーブル類を整然と配設することができると共に、トレイの下にある電子機器ユニットやケーブル類が視認できるので、電子機器ユニットの設置作業中、周囲の状況が把握しやすく、ケーブル配設の作業効率が向上する。
【０００９】
また、この発明のケーブル保持具は、複数のケーブル接続端子を有するサーバーその他の電子機器ユニット用の取付孔を左右に複数設けたサーバラックに使用されるケーブル保持具であって、
前記電子機器ユニットのサーバラックへの取り付け状態で前記ケーブル接続端子の下側に設置されると共に横長の平板形状であり且つ複数の孔を有する透明または半透明のトレイと、前記取付孔に固定可能な取り付け部を有し且つ前記取り付け部の下方からサーバラックの取付面に対して略垂直方向に延出して前記トレイを挟持するクリップと、を備えたことを特徴とするケーブル保持具。
【００１０】
この発明によれば、トレイは、クリップの挟持部によって自由に着脱できるので、様々なサイズのトレイの中から、最適なサイズのトレイを選択して使用できる。別のサイズのトレイへの交換作業も容易であり、サーバラック内のスペースや電子機器ユニットの寸法等に応じたものを選択してスペースを有効に使用できる。また、クリップの挟持部に、トレイを差し入れるだけで簡単にトレイを着脱できるので、片手でも容易にトレイの取り付け作業ができ、設置作業や交換作業を効率良く行うことができる。
【００１１】
また、この発明のケーブル保持具は、複数のケーブル接続端子を有するサーバーその他の電子機器ユニット用の取付孔を左右に複数設けたサーバラックに使用されるケーブル保持具であって、
前記電子機器ユニットのサーバラックへの取り付け状態で前記ケーブル接続端子の下側に設置されると共に横長の平板形状であり、複数の孔を有する透明または半透明のトレイと、前記取付孔に固定可能な取り付け部を有し且つ前記取り付け部の下方から前記サーバラックの取付面に対して略垂直に延出して前記トレイの側端を着脱可能に挟持するクリップと、前記取付孔に固定可能な取り付け部を有し且つ前記サーバラックの取付面に対して略垂直方向に延出する少なくとも１本のケーブル保持バーを有するサイド部材と、を備えたことを特徴とする。
【００１２】
この発明によれば、横長の平板形状であり且つ複数の孔を有する透明または半透明のトレイが設けられていることでケーブル類を整然と配設でき、サイド部材に設けられたケーブル保持バーに、ＬＡＮケーブルや光ケーブル等、各種ケーブルを掛けて配設することで、配設されたケーブル類にかかる重量負荷を軽減することができる。サイド部材は、ケーブル類が、ケーブル自らの重みで電子機器ユニットの接続端子から抜け、脱落することを予防できる。
【００１３】
また、この発明のケーブル保持具の前記クリップは、挟持面の少なくとも一面に滑り止め部が備えられていることを特徴とする。
【００１４】
この発明によれば、クリップは、挟持面の少なくとも一面に滑り止め部が備えられており、トレイをしっかりと挟持し、トレイが脱落しにくい。また、挟持面の少なくとも一面に滑り止め部が備えられていることで、トレイの着脱がスムーズに行え、作業効率が向上する。
【００１５】
また、この発明のケーブル保持具の前記サイド部材の前記ケーブル保持バーは、先端に滑り止め部を備えたことを特徴とする。
【００１６】
この発明によれば、ケーブル保持バーの先端に滑り止め部が設けられていることで、ケーブル保持バーに掛けられたケーブル類が滑り落ちるのを予防できる。
【００１７】
また、この発明のケーブル保持方法は、複数の電子機器ユニットを取り付けたサーバラック内におけるケーブル保持方法であって、サーバラックへ取り付けた状態の前記電子機器ユニットの前記ケーブル接続端子の下側に前記請求項１から請求項５いずれか１つに記載のケーブル保持具の前記トレイを設置し、且つ、前記電気機器ユニットに接続するケーブルを前記トレイの上に載置する手順を含むことを特徴とする。
【００１８】
この発明によれば、横長の平板形状であり且つ複数の孔を有する透明または半透明のトレイが設けられていることで、電子機器ユニットに接続したケーブルを孔に通した結束バンド等で結束し、トレイ上に配設することで、ケーブル類を整然と配設することができ、上下に設置された電子機器ユニットの設置、保守又は交換作業の妨げにならず、ケーブル配線工事の作業効率を向上させることができる。
【００１９】
また、この発明のケーブル保持方法は、複数の電子機器ユニットを取り付けたサーバラック内におけるケーブル保持方法であって、サーバラックへ取り付けた状態の前記電子機器ユニットの前記ケーブル接続端子の下側に前記請求項１から請求項５いずれか１つに記載のケーブル保持具の前記トレイを設置し、且つ、前記電気機器ユニットに接続するケーブルを、前記トレイの前記孔に貫通させた結束部材で結束して、前記トレイの下側に配設する手順を含むことを特徴とする。
【００２０】
この発明によれば、横長の平板形状であり且つ複数の孔を有する透明または半透明のトレイが設けられていることで、電子機器ユニットに接続したケーブルを孔に通した結束バンド等で結束し、トレイ下部に配設することで、ケーブル類を整然と配設することができ、上下に設置された電子機器ユニットの設置、保守又は交換作業の妨げにならず、ケーブル配線工事の作業効率を向上させることができる。
【図面の簡単な説明】
【００２１】
【図１】本発明の実施の形態１にかかるケーブル保持具１００の構成部材であるトレイ１の平面図である。
【図２】本発明の実施の形態１にかかるケーブル保持具１００の構成部材であるトレイ１の右側面図である。
【図３】本発明の実施の形態１にかかるケーブル保持具１００の構成部材であるクリップ２の斜視図である。
【図４】本発明の実施の形態１にかかるケーブル保持具１００の構成部材であるクリップ２の右側面図である。
【図５】本発明の実施の形態１にかかるケーブル保持具１００の構成部材であるクリップ２の平面図である。
【図６】本発明の実施の形態１にかかるケーブル保持具１００の構成部材であるクリップ２の正面図である。
【図７】本発明の実施の形態１にかかるケーブル保持具１００の平面図である。
【図８】本発明の実施の形態１にかかるケーブル保持具１００の正面図である。
【図９】本発明の実施の形態１にかかるケーブル保持具１００の右側面図である。
【図１０】本発明の実施の形態１にかかるケーブル保持具１００の使用方法を示す参考正面図である。
【図１１】本発明の実施の形態１にかかるケーブル保持具１００の使用方法を示す参考斜視図である。
【図１２】本発明の実施の形態１にかかるケーブル保持具１００の使用方法を示す参考斜視図である。
【図１３】本発明の実施の形態２にかかるケーブル保持具２００の構成部材であるサイド部材３の平面図である。
【図１４】本発明の実施の形態２にかかるケーブル保持具２００の構成部材であるサイド部材３の正面図である。
【図１５】本発明の実施の形態２にかかるケーブル保持具２００の構成部材であるサイド部材３の背面図である。
【図１６】本発明の実施の形態２にかかるケーブル保持具２００の構成部材であるサイド部材３の右側面図である。
【図１７】本発明の実施の形態２にかかるケーブル保持具２００の構成部材であるサイド部材３の左側面図である。
【図１８】本発明の実施の形態２にかかるケーブル保持具２００の構成部材であるサイド部材３の斜視図である。
【図１９】本発明の実施の形態２にかかるケーブル保持具２００の使用方法を示す参考斜視図である。
【図２０】本発明の実施の形態２にかかるケーブル保持具２００の使用方法を示す参考斜視図である。
【図２１】本発明の実施の形態３にかかるケーブル保持具３００の平面図である。
【図２２】本発明の実施の形態３にかかるケーブル保持具３００の正面図である。
【図２３】本発明の実施の形態３にかかるケーブル保持具３００の右側面図である。
【図２４】本発明の実施の形態３にかかるケーブル保持具３００の使用方法を示す参考斜視図である。
【図２５】本発明の実施の形態３にかかるケーブル保持具３００の使用方法を示す参考斜視図である。
【発明を実施するための形態】
【００２２】
以下、発明を実施するための形態を説明する。
【００２３】
（実施の形態１）
最初に、図１から図１２を示しながら本発明の実施の形態１のケーブル保持具１００について説明する。図１は、本発明の実施の形態１にかかるケーブル保持具１００の構成部材であるトレイ１の平面図であり、図２は、トレイ１の右側面図である。
【００２４】
本発明のケーブル保持具１００は、トレイ１とクリップ２を主に有する。図１に示すように、ケーブル保持具１００を構成するトレイ１は、横長の平板形状であって、開口部１２が複数設けられている。開口部１２は、長手方向に細長い孔であって、幅は５ミリメートル以上１２ミリメートル以下、最適な幅は、６ミリメートル以上１０ミリメートル以下の幅である。開口部１２の長さは３センチメートル以上１０センチメートル以下である。開口部１２は、ケーブル結束バンドを貫通させ、ケーブル類を束ねたものをトレイ１に固定する際に使用する。
【００２５】
また、開口部１２は、電子機器にケーブル接続工事を行う際、ＬＡＮケーブルＬを一時的にトレイ１の開口部１２に挿して仮置き場所として使用できる。ケーブル接続工事では、両手が塞がることが多く、また、サーバラックＳの上段等、床から離れた高い位置での接続工事で、ＬＡＮケーブルＬを床に置いたまま作業することが困難な場合も多い。ケーブル類は、トレイ１の上に載置しただけでは滑り落ちやすいが、開口部１２にケーブル部分を挿入した状態にしておくと安定的にケーブルを保持することができ、手に取って作業を続行しやすい。
【００２６】
トレイ１の開口部１２は、サーバラックＳ内の通気性を確保し、熱循環をよくするという役割をもつ。サーバラックＳ内に、密集して格納された電子機器ユニットは、稼働中、大量の熱を放出する。サーバラックＳ上部には、放熱ファンＦが設置されていることが多いが、それでも、サーバラックＳ内下方では、放熱ファンＦによる放熱効果が届かず、熱がこもってしまうことが多い。トレイ１に開口部１２が設けられていることで、サーバラックＳ内での空気の循環が良くなり、通気性が確保される。トレイ１の両端にある側端部１３には、クリップ２を挟持する位置の目印として小孔１５が設けられている。小孔１５は、クリップ２の挟持部分の目安となるほか、クリップ２を使用せず他の取り付け部材でサーバラックＳ内に設置する際に、ボルトやねじ留めする際にも使用できる。
【００２７】
図２に示すように、トレイ１は、サーバラックＳの取付面側とは対向する側が、傾斜部１４となっている。トレイ１は、サーバラックＳ内で、電子機器ユニットの接続端子が設けられた面の下部に設置され、接続端子に接続したケーブル類を保持するものであるが、電子機器ユニットの設置工事の際、ケーブル類を仮置きしたり、ボルトやナット類の仮置き場所として使用したりできる。
【００２８】
傾斜部１４は、トレイ本体１１に対し、上方に傾斜しており、トレイ本体１１の上に載置したボルト、ナット類やケーブル類が、トレイ１から滑り落ちるのを防止している。傾斜部１４の角度は、トレイ本体１１に対し上方に５度から２０度程度、傾斜していることが好ましく、最適な傾斜角度は８度から１２度である。傾斜角度が急すぎると、電子機器ユニットの接続端子にケーブルを着脱する際にトレイ１が作業の邪魔となり、傾斜角度が緩すぎると、トレイ１の上に仮置きしたボルト等が脱落してしまうので、傾斜部１４は上述の角度とすることが望ましい。
【００２９】
トレイ１は、透明度をもつプラスチックその他の合成樹脂からなる。トレイ１の素材となる合成樹脂は、透明度３０パーセント以上１００パーセント未満のものを使用すると良く、望ましくは透明度８０パーセント以上１００パーセント未満の合成樹脂を用いることが最適である。光透過率が高く、耐衝撃性が高いアクリル系樹脂、ＰＥＴ（ポリエチレンテレフタレート）、ポリカーボネートその他の樹脂が選択可能である。トレイ１が十分な透明度を持っていることで、電子機器ユニットの接続作業の際、トレイ１を通して、下方に設置された電子機器ユニットの接続端子も視認することができ、作業効率が向上する。また、施設内上方に設置された照明器具からの照明光が、下方まで届き、サーバラックＳ下部に設置された電子機器ユニットの接続等の作業効率が向上する。
【００３０】
次に、ケーブル保持具１００の構成部材であるクリップ２について説明する。図３は、本発明の実施の形態１にかかるケーブル保持具１００の構成部材であるクリップ２の斜視図であり、図４は、本発明の実施の形態１にかかるケーブル保持具１００の構成部材であるクリップ２の右側面図である。図５は、本発明の実施の形態１にかかるケーブル保持具１００の構成部材であるクリップ２の平面図であって、図６は、本発明の実施の形態１にかかるケーブル保持具１００の構成部材であるクリップ２の正面図である。
【００３１】
図３に示すように、クリップ２は、サーバラックＳ内に設けられた電子機器ユニット用取付孔に取り付け可能な取り付け部２３と、トレイ１の側端部１３を着脱可能に挟持して保持可能な挟持部２１とを主に有する。クリップ２は、金属製であって、取り付け部２３には、切欠き２４が三か所、設けられている。切欠き２４が設けられる間隔は、サーバラックＳ内のマウントレールＭ等に備えられた電子機器ユニット用取付孔の間隔にあわせて設けられており、切欠き２４と、電子機器ユニット用取付孔の位置をあわせて、ボルト類でケーブル保持具１００をサーバラックＳ内の電子機器ユニット用取付孔に固定する。
【００３２】
クリップ２は、トレイ１の側端部１３を支持する支持手段であり、サーバラックＳのマウントレールＭに設けられた電子器機器ユニット用取付孔に取りつけることができる。トレイ１は、左右の両端を、それぞれ、クリップ２で保持され、サーバラックＳ内に設置される。
【００３３】
挟持部２１は、取り付け部２３に対して、略垂直方向に延出するように設けられており、トレイ１の側端部１３を挟持して保持可能となっている。また、図４に示すように、挟持部２１の挟持面のうち、トレイ１の上側が接する部分には、滑り止め部２２としてゴム素材からなる層が設けられている。滑り止め部２２がトレイ１の上面に接することで、トレイ１がずれたり脱落したりせず、しっかりと保持される。
【００３４】
クリップ２は、トレイ１の側端部を着脱可能に挟持して保持する。トレイ１の幅を変更したいときは、クリップ２をマウントレールＭに取り付けたまま、トレイ１のみ外して、違うサイズのトレイ１に変更することができる。樹脂製のトレイ１が劣化して、トレイ１のみ新しいものに交換したい場合も、迅速に交換作業を行うことができる。
【００３５】
クリップ２で側端部１３を挟持されたトレイ１は、着脱可能である。何度もトレイ１をクリップ２に着脱すると、トレイ１の上面を、挟持部２１が何度も擦動することになり、トレイ上面に擦り傷をつける恐れがあるが、挟持部２１のトレイ１の上面に接する面にはゴム素材の滑り止め部２２が設けられているので、トレイ１の上面に傷がつけない。滑り止め部２２は、挟持部２２の上下両面に設けると、トレイ１を締め付けすぎ、着脱が困難になるので挟持面の上面にのみ滑り止め部２２を設けると良い。滑り止め部２２は、実施の形態１では、ゴム素材からなる層を設けたが、ゴム素材以外でも、シリコン素材の層によって滑り止めとしても良い。また、金属製の挟持面をシボ加工して滑り止め効能をもたせることもできる。
【００３６】
図５に示すように、クリップ２の取り付け部２３は、金属製であって、サーバラックＳ内のマウントレールＭやマウントアングルにボルト等で固定しやすいよう、薄い金属板からなる。クリップ２の挟持部２１の上側挟持部は、トレイ１を挿入しやすいよう、先端が上方に傾斜している。図６に示すように、挟持部２１の上部挟持面と下部挟面との間隙は、トレイ１の厚みと略同じか、少し狭くなっており、挟持部２１でしっかりとトレイ１を挟持して固定することができるようになっている。
【００３７】
次に、図７から図１０を示しながら、本発明の実施の形態１のケーブル保持具１００の全体構成と使用方法について説明する。図７は、本発明の実施の形態１にかかるケーブル保持具１００の平面図であって、図８は、本発明の実施の形態１にかかるケーブル保持具１００の正面図である。図９は、本発明の実施の形態１にかかるケーブル保持具１００の右側面図である。図１０は、本発明の実施の形態１にかかるケーブル保持具１００の使用方法を示す参考正面図である。
【００３８】
図７に示すように、ケーブル保持具１００は、トレイ１と、トレイ１の両側すなわち左右の側端部１３を挟持して保持する２つのクリップ２から構成される。トレイ１は、クリップ２の先端に挟持される。クリップ２の挟持部２１の先端でトレイ１を保持することによって、トレイ１と、電子機器ユニットとの間に、スペースが生ずる。このスペースによって、電子機器ユニット周辺の通気性が確保され、サーバラックＳ内の熱循環を阻害しない。トレイ１には、開口部１２も設けられているため、取り付けの際に、電子機器ユニットとの間に生ずるスペースと、トレイ１の開口部１２によって、電子機器ユニットからの熱がこもりがちなサーバラックＳ内の、通気性を確保し、熱の放出を助長する。
【００３９】
図８に示すように、正面視、トレイ１は、サーバラックＳの取付面に対して略垂直な角度を形成するように取り付けられる。トレイ１は、耐衝撃性のある合成樹脂製を平板形状としたものであるため、軽量であり、サーバラックＳにかかる負荷が少なく、設置作業も容易である。図９に示すように、クリップ２の挟持部２１が形成する間隙の寸法は、トレイ１の厚みと略同じが若干小さい寸法なので、クリップ２により、トレイ１を強固に挟みこみ、保持し固定できる。
【００４０】
トレイ１は、透明または半透明である。トレイ１の透明度は３０パーセント以上１００パーセント未満が良い。最適な透明度は８０パーセント以上１００パーセント未満である。トレイ１の透明度が高いことで、トレイ１の下方を肉眼で視認でき、ケーブル接続作業が容易である。また、トレイ１に開口部１２が設けられていることで、下方の視界が良好となるとともに、図１０に示すように、ＬＡＮケーブルＬ等の仮置き場所にも最適である。トレイ１に設けられた開口部１２の幅は、ＬＡＮケーブルＬや光ファイバーその他のケーブル類のケーブル部分の断面寸法より大きく、ケーブル部分は通り抜ける。しかし、開口部１２の幅は、ケーブル類の先端のブーツ部分の幅より小さい幅となっているので、ケーブル部分を開口部１２に差し込んでも、先端のブーツ部分は開口部１２を通らず、トレイ１上に引っかかり、下に滑り落ちることがない。
【００４１】
次に、ケーブル保持具１００の使用方法について、説明する。図１１及び図１２は、本発明の実施の形態１にかかるケーブル保持具１００の使用方法を示す参考斜視図である。
【００４２】
ケーブル保持具１００の使用に際し、トレイ１の寸法は、異なる寸法のものを、複数種類準備しておき、設置するサーバラックＳの内部寸法と、電子機器ユニットの寸法から、最適な寸法のトレイ１を選択する。トレイ１を選択する際、まず最初に、クリップ２をサーバラックＳ内のマウントレールＭ等の電子機器ユニット取付孔に固定しておき、クリップ２に、様々な寸法のトレイ１をあてがってみて、最適な寸法のトレイ１を選択するようにすると良い。
【００４３】
サーバラックＳ内には、複数のケーブル接続端子を備えたサーバーその他の電子機器ユニット用取付孔が設けられている。サーバラックＳ内の左右にマウントレールＭが備えられ、マウントレールＭに取付孔が複数設けられている。
【００４４】
まず最初に、図１１に示すように、サーバラックＳ内の取付孔に、クリップ２の取り付け部２３を合わせてボルト等で固定し、電子機器ユニットの左右位置に、それぞれ、クリップ２を取り付ける。そのあと、トレイ１を、サーバラックＳの取付面に対して略垂直になるように手で保持し、トレイ１の両端を、クリップ２の挟持部２１に差し込み、トレイ１を固定する。クリップ２の挟持部２１は、挟持面の一面に滑り止め部２２が設けられているので、程良くトレイ１を固定でき、クリップ２からの着脱も何度でもスムーズに行うことができる。トレイ１の交換や、電子機器ユニットの交換の為に、トレイ１の着脱回数を重ねても、トレイ１の上面に傷がつくことがない。
【００４５】
ケーブル保持具１００がサーバラックＳ内に固定できたら、次に、図１２に示すように、サーバラックＳ内の電子機器ユニットのケーブル接続作業を行う。サーバラックＳの上方に格納した電子機器ユニットから接続されるＬＡＮケーブルＬ類は、下方までケーブルを配設すると、ケーブル自体の重量が電子機器ユニットの接続端子部分にかかって、ケーブルが接続端子から外れやすくなるが、ケーブル保持具１００を設置して、ケーブル類をトレイ上またはトレイ下部１に配設して、横方向に流してから下方に延伸させると、ケーブル端子部分にかかる負荷が軽くなり、ケーブル脱落を防止できる。また、サーバラックＳ内では、新規設置、既存機器の保守、交換や修理で、随時、電子機器ユニットのケーブル配線を除去したり新設する必要が生じるが、上下の電子機器からケーブルが垂れ下がって、電子機器の接続端子が設けられている面を覆ってしまうことがないので、ケーブル配線の作業効率が飛躍的に向上する。
【００４６】
（実施の形態２）
次に、図１３から図２０を示しながら、本発明の実施の形態２のケーブル保持具２００について説明する。図１３は、本発明の実施の形態２にかかるケーブル保持具２００の構成部材であるサイド部材３の平面図であって、図１４は、本発明の実施の形態２にかかるケーブル保持具２００の構成部材であるサイド部材３の正面図である。図１５は、本発明の実施の形態２にかかるケーブル保持具２００の構成部材であるサイド部材３の背面図であって、図１６は、本発明の実施の形態２にかかるケーブル保持具２００の構成部材であるサイド部材３の右側面図である。図１７は、本発明の実施の形態２にかかるケーブル保持具２００の構成部材であるサイド部材３の左側面図であって、図１８は、本発明の実施の形態２にかかるケーブル保持具２００の構成部材であるサイド部材３の斜視図である。
【００４７】
実施の形態２のケーブル保持具２００は、サーバラックＳ内の電子機器等取付孔に固定し、電子機器ユニットの左右に突出するように設置されるケーブル保持具２００である。ケーブル保持具２００は、電子機器ユニットのサイドに設置され、電子機器ユニットの接続端子から配設されるケーブル類を左右に流してから下方に延伸させるためのサイド部材３から構成される。
【００４８】
図１３に示すように、ケーブル保持具２００のサイド部材３は、サーバラックＳ内の取付孔に設置するための取り付け部３１、取り付け部３１から略垂直方向に設けられた中間部３３、中間部３３から更に略垂直方向に設けられたケーブル保持部３４を有する。ケーブル保持部３４には、ケーブル保持具３４に対し略垂直方向に延出する保持バー３６が備えられている。
【００４９】
図１４に示すように、取り付け部３１は、側辺の一辺に、サーバラックＳ内の取付孔の間隔に対応した間隔で設けられた切欠き３２を備えている。また、取り付け部３１と、略垂直に設けられた中間部３３を介して、ケーブル保持部３４が設けられ、保持バー３６を取り付け可能な保持バー取り付け孔３９が４つ設けられており、うち、２つには、保持バー３６が垂直に取り付けられている。
【００５０】
図１５に示すように、保持バー３６は、ケーブル保持部３４の背面からボルト３８によって固定されている。保持バー３６は、ケーブル保持部３４に設けられた４つの保持バー取り付け孔３９に取り付け可能であり、必要に応じて、保持バー３６の位置や本数を調整して使用する。また、保持バー３６は、長さの異なるものを複数種類準備しておき、サーバラックＳ内のスペースやケーブルの量に応じて、最適なものを選択して使用することができる。
【００５１】
図１６に示すように、保持バー３６の先端には、滑り止め部３７が設けられている。実施の形態２では、ゴムキャップを保持バー３６の先端にかぶせて滑り止め部３７としている。滑り止め部３７は、ゴムキャップのほか、シリコンの層を保持バー３６の先端に設けても良いし、また、金属製の保持バー３６の先端に凹凸面を設けたり、シボ加工して滑り止め部３７としても良い。
【００５２】
図１７に示すように、保持バー３６は、ケーブル保持部３４から略垂直に、直線状に延出している。保持バー３６は、上下に設けられており、保持バー３６にケーブル類を引っ掛けてケーブル配線する。保持バー３６は、引っ掛けるケーブルの種類ごとに設置すると、ケーブル配線作業の効率がよくなる。例えば、上方に設けられた保持バー３６には、細くて軽量の光ケーブルを、下方に設けられた保持バー３６には、ＬＡＮケーブルＬを、それぞれ分けて、掛けるようにすると、ケーブル同士が絡まりあうことがなく、整然と、配線でき、交換や修理の際も、該当のケーブルを見つけやすくなる。
【００５３】
図１８に示すように、ケーブル保持具２００のサイド部材３は薄くて丈夫な金属製である。ケーブル保持具２００のサイド部材３は、既存のケーブルトレイやケーブル保持具と共に使用されることが多く、サーバラックＳ内の電子機器取付孔に、ケーブルトレイと一緒にボルトその他で固定されるため、ボルト固定に支障が出ないよう取り付け部３１は、厚みの少ない金属板からなる。保持バー３６は、本実施の形態２では、直線状のバーであり、ケーブル保持部３４に対し略垂直に備えられているが、ケーブルを引っ掛けることができればよいので、保持バー３６を上方に傾斜をつけて設置したり、Ｊ字形状に屈曲させた保持バー３６を用いても良い。
【００５４】
次に、図１９及び図２０を示しながら、実施の形態２のケーブル保持具２００の使用方法について説明する。図１９、図２０は、本発明の実施の形態２にかかるケーブル保持具２００の使用方法を示す参考斜視図である。
【００５５】
サーバラックＳ内には、複数のケーブル接続端子を備えたサーバーその他の電子機器ユニット用取付孔が設けられている。サーバラックＳ内の左右には、通常、マウントレールＭが備えられ、マウントレールＭに取付孔が複数設けられている。
【００５６】
まず最初に、サーバラックＳ内の取付孔に、実施の形態１のケーブル保持具１００または既存のケーブルトレイその他のケーブル保持具を固定する。ケーブル保持具がサーバラックＳ内に固定できたら、次に、図１９に示すように、サーバラックＳ内の取付孔に、本実施の形態２のケーブル保持具２００の取り付け部３１を合わせてボルト等で固定し、電子機器ユニットの左右に張り出すように、両側に、サイド部材３からなるケーブル保持具２００を固定する。
【００５７】
ケーブル保持具２００がサーバラックＳ内に固定できたら、次に、サーバラックＳ内の電子機器ユニットのケーブル接続作業を行う。サーバラックＳの上方に格納した電子機器ユニットから接続されるＬＡＮケーブルＬ類は、下方までケーブルを配設すると、ケーブル自体の重量が電子機器ユニットの接続端子部分にかかって、ケーブルが接続端子から外れやすくなるが、ケーブル保持具２００を設置して、ケーブル類を両サイドに流して、保持バー３６に掛けたあとで下方に延伸させると、ケーブル端子部分にかかる負荷が軽くなり、ケーブル脱落を防止できる。また、サーバラックＳ内では、新規設置、既存機器の保守、交換や修理で、随時、電子機器ユニットのケーブル配線を除去したり新設する必要が生じるが、上下の電子機器からケーブルが垂れ下がって、電子機器の接続端子が設けられている面を覆ってしまうことがないので、ケーブル配線の作業効率が飛躍的に向上する。
【００５８】
（実施の形態３）
次に、図２１から図２５を示しながら、本発明の実施の形態３のケーブル保持具３００について、説明する。図２１は、本発明の実施の形態３にかかるケーブル保持具３００の平面図であって、図２２は、本発明の実施の形態３にかかるケーブル保持具３００の正面図である。図２３は、本発明の実施の形態３にかかるケーブル保持具３００の右側面図である。
【００５９】
本発明のケーブル保持具３００は、トレイ１、クリップ２及びサイド部材３を有する。図２１に示すように、ケーブル保持具３００を構成するトレイ１は、横長の平板形状であって、開口部１２が複数設けられている。トレイ１及びクリップ２は、実施の形態１のケーブル保持具１００の構成部材と同様であり、説明を省略する。サイド部材３は、実施の形態２で説明したサイド部材３と同様の構成であり、本発明の実施の形態３のケーブル保持具３００は、トレイ１、クリップ２及びサイド部材３を同時に使用するケーブル保持具３００である。
【００６０】
トレイ１に設けられた開口部１２は、電子機器にケーブル接続工事を行う際、ＬＡＮケーブルＬを一時的にトレイ１の開口部１２に挿して仮置き場所として使用できる。ケーブル配線工事をする際、電子機器ユニットの接続端子に接続するケーブルであって、両サイドに近い部分に接続する予定のケーブルはサイド部材３の保持バー３６に引っ掛けて仮置きしておき、中央部分に設けられた接続端子に接続する予定のケーブルは、トレイ１の開口部１２に挿して仮置きするという具合に使い分けることができるので、ケーブルに接続する予定の接続端子の位置を確認しながら、配線準備を行うことができ、配線ミスが生じにくく、作業効率が飛躍的に向上する。
【００６１】
トレイ１の開口部１２は、サーバラックＳ内の通気性を確保し、熱循環をよくするという役割をもつ。さらに、両サイドに設置されたサイド部材３には、保持バー取り付け孔３９が設けられているので、開口部１２や保持バー取り付け孔３９は、通気孔としての役割も担っている。サーバラックＳ内に、密集して格納された電子機器ユニットは、稼働中、大量の熱を放出するため、サーバラックＳ上部には、放熱ファンＦが設置されていることが多いが、それでも、サーバラックＳ内下方では、放熱ファンＦによる放熱効果が届かず、熱がこもってしまうことが多いので、トレイ１に開口部１２が設けられ、サイド部材３に保持バー取り付け孔３９が設けられていることで、サーバラックＳ内の空気の循環が生じ、通気性が確保される。
【００６２】
実施の形態３のケーブル保持具３００は、クリップ２の取り付け部２３と、サイド部材３の取り付け部３１とを重ねて、サーバラックＳ内の電子機器ユニット用取付孔と合わせておきボルトで固定して取り付ける。クリップ２とサイド部材３が設置できたら、図２２に示すように、所定寸法のトレイ１を選択し、トレイ１をクリップ２の挟持部２１に差し込んで保持する。図２３に示すように、トレイ１は、サーバラックＳの取付面側とは対向する側が、傾斜部１４となっている。トレイ１は、サーバラックＳ内で、電子機器ユニットの接続端子が設けられた面の下部に設置され、接続端子に接続したケーブル類を保持するものであるが、電子機器ユニットの設置工事の際、ケーブル類を仮置きしたり、ボルトやナット類の仮置き場所として使用できる。
【００６３】
トレイ１は、透明度をもつプラスチックその他の合成樹脂からなる。トレイ１の素材となる合成樹脂は、透明度３０パーセント以上１００パーセント未満のものを使用すると良く、望ましくは透明度８０パーセント以上１００パーセント未満の合成樹脂を用いることが最適である。光透過率が高く、耐衝撃性が高いアクリル系樹脂、ＰＥＴ（ポリエチレンテレフタレート）、ポリカーボネートその他の樹脂が選択可能である。トレイ１が十分な透明度を持っていることで、電子機器ユニットの接続作業の際、トレイ１を通して、下方に設置された電子機器ユニットの接続端子も視認することができ、作業効率が向上する。また、施設内上方に設置された照明器具からの照明光が、下方まで届くので、サーバラックＳ下部に設置された電子機器ユニットの接続等の作業効率が向上する。また、トレイ１に設けられた開口部１２の幅は、ＬＡＮケーブルＬや光ファイバーその他のケーブル類のケーブル部分の断面寸法より大きく、ケーブル部分は通り抜けるがケーブル類の先端のブーツ部分は通り抜けない。したがって、ケーブル部分を開口部１２に差し込んでも、先端のブーツ部分は開口部１２を通らず、トレイ１上に引っかかり、下に滑り落ちることがなく、ケーブル類やボルト類の仮置き場に最適である。
【００６４】
次に、図２４、図２５を示しながら、本発明の実施の形態３のケーブル保持具３００の使用方法について説明する。図２４及び図２５は、本発明の実施の形態３にかかるケーブル保持具３００の使用方法を示す参考斜視図である。
【００６５】
ケーブル保持具３００は、トレイ１、トレイ１の両側を挟持して保持する２つのクリップ２、クリップ２と共にトレイ１の左右両側に取りつけられるサイド部材３から構成される。トレイ１は、クリップ２の先端に挟持される。クリップ２の挟持部２１の先端でトレイ１を保持することによって、トレイ１と、電子機器ユニットとの間に、スペースが生ずることになるが、スペースが生ずることで、電子機器ユニット周辺の通気性が確保され、サーバラックＳ内の熱循環を阻害しない。トレイ１には、開口部１２も設けられているため、取り付けの際に、電子機器ユニットとの間に生ずるスペースと、トレイ１の開口部１２によって、電子機器ユニットからの熱がこもりがちなサーバラックＳ内において、通気性を確保し、熱の放出を助ける効果が期待できる。また、サイド部材３は、クリップ２と共に、トレイ１の両側に位置するように取り付けられ、ケーブルを左右に流したうえ下方に延伸させるものであるが、サイド部材３は、薄い金属製であってケーブル保持部３４に細長い保持バー３６を備えたシンプルな構成であり、保持バー取り付け孔３９を複数有しているので通気性がよく、サーバラックＳ内の熱循環を阻害しない。
【００６６】
ケーブル保持具３００の使用に際し、トレイ１の寸法は、異なる寸法のものを、複数種類準備しておき、設置するサーバラックＳの内部寸法と、電子機器ユニットの寸法から、最適な寸法のトレイ１を選択する。まず最初に、クリップ２の取り付け部２３と、サイド部材３の取り付け部３１とを重ねたうえ、サーバラックＳ内の取付孔に合わせてボルト等で固定し、電子機器ユニットの左右位置に、それぞれ、クリップ２とサイド部材３を取り付ける。そのあと、図２４に示すように、トレイ１を、サーバラックＳの取付面に対して略垂直になるように手で保持し、トレイ１の両端を、クリップ２の挟持部２１に差し込み、トレイ１を固定する。クリップ２の挟持部２１は、挟持面の一面に滑り止め部２２が設けられているので、程良くトレイ１を固定でき、クリップ２からの着脱もスムーズであり、着脱の回数を重ねても、トレイ１の上面に傷がつくことがない。
【００６７】
ケーブル保持具１００がサーバラックＳ内に固定できたら、次に、図２５に示すように、サーバラックＳ内の電子機器ユニットのケーブル接続作業を行う。サーバラックＳの上方に格納した電子機器ユニットから接続されるＬＡＮケーブルＬ類は、下方までケーブルを配設すると、ケーブル自体の重量が電子機器ユニットの接続端子部分にかかって、ケーブルが接続端子から外れやすくなるが、ケーブル保持具３００を設置して、ケーブル類をトレイ上またはトレイ下部１に配設して、サイド部材３を使用して横方向に流してから下方に延伸させると、ケーブル端子部分にかかる負荷が軽くなり、ケーブル脱落を防止できる。また、サーバラックＳ内では、新規設置、既存機器の保守、交換や修理で、随時、電子機器ユニットのケーブル配線を除去したり新設する必要が生じるが、上下の電子機器からケーブルが垂れ下がって、電子機器の接続端子が設けられている面を覆ってしまうことがないので、ケーブル配線の作業効率が飛躍的に向上する。
【符号の説明】
【００６８】
１００，２００，３００  ケーブル保持具
１  トレイ
１１  トレイ本体
１２  開口部
１３  側端部
１４  傾斜部
１５  小孔
２  クリップ
２１  挟持部
２２  滑り止め部
２３  取り付け部
２４  切欠き
３  サイド部材
３１  取り付け部
３２  切欠き
３３  中間部
３４  ケーブル保持部
３５  開口部
３６  保持バー
３７  滑り止め部
３８  ボルト
３９  保持バー取り付け孔
Ｌ  ＬＡＮケーブル
Ｋ  光ファイバーケーブル
Ｍ  マウントレール
Ｓ  サーバラック
Ｆ  放熱ファン
Ｃ  通信機器
【図１】
2020088214.tif 000003
【図２】
2020088214.tif 000004
【図３】
2020088214.tif 000005
【図４】
2020088214.tif 000006
【図５】
2020088214.tif 000007
【図６】
2020088214.tif 000008
【図７】
2020088214.tif 000009
【図８】
2020088214.tif 000010
【図９】
2020088214.tif 000011
【図１０】
2020088214.tif 000012
【図１１】
2020088214.tif 000013
【図１２】
2020088214.tif 000014
【図１３】
2020088214.tif 000015
【図１４】
2020088214.tif 000016
【図１５】
2020088214.tif 000017
【図１６】
2020088214.tif 000018
【図１７】
2020088214.tif 000019
【図１８】
2020088214.tif 000020
【図１９】
2020088214.tif 000021
【図２０】
2020088214.tif 000022
【図２１】
2020088214.tif 000023
【図２２】
2020088214.tif 000024
【図２３】
2020088214.tif 000025
【図２４】
2020088214.tif 000026
【図２５】
2020088214.tif 000027